(57)【要約】【課題】利便性の向上が図れる画像表示装置を提供すること。【解決手段】画像表示装置としてのプロジェクタ１を構成する制御装置４０は、複数の入力端子３０のうちいずれかの入力端子３０を選択する入力選択部４１と、複数の入力端子毎に設定され入力端子３０を選択する際の優先度に関する優先度情報を記憶するメモリ４６と、入力選択部４１にて選択された入力端子３０を介して画像信号が入力されている入力状態であるか否かを検出する入力状態検出部４２と、優先度の高い順に入力端子３０を選択させ入力状態検出部４２にて入力状態であると検出された入力端子３０を、優先的に画像信号を入力させる優先入力端子として認識し、優先入力端子を介して画像信号を入力させる主制御部４５と、優先入力端子を介して入力された画像信号に基づいて、画像投射部１０に画像を表示させる表示制御部４４とを備える。【選択図】図１
2008139771.tif 000002
【特許請求の範囲】
【請求項１】
画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置であって、
前記制御手段は、
前記複数の入力端子のうちいずれかの入力端子を選択する入力選択部と、
前記複数の入力端子毎に設定され、前記入力端子を選択する際の優先度に関する優先度情報を記憶する優先度情報記憶部と、
前記入力選択部にて選択された入力端子を介して前記画像情報が入力されている入力状態であるか否かを検出する入力状態検出部と、
前記優先度情報に基づく優先度の高い順に前記入力端子を前記入力選択部に選択させ、前記入力状態検出部にて前記入力状態であると検出された入力端子を、優先的に前記画像情報を入力させる優先入力端子として認識し、前記優先入力端子を介して前記画像情報を入力させる選択制御を実施する選択制御部と、
前記優先入力端子を介して入力された前記画像情報に基づいて、前記表示手段に画像を表示させる表示制御を実施する表示制御部とを備えている
ことを特徴とする画像表示装置。
【請求項２】
画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置であって、
前記制御手段は、
前記複数の入力端子のうちいずれかの入力端子を選択する入力選択部と、
前記複数の入力端子毎に設定され、前記入力端子を選択する際の優先度に関する優先度情報を記憶する優先度情報記憶部と、
前記複数の入力端子毎に前記画像情報が入力されている入力状態であるか否かを検出する入力状態検出部と、
前記入力状態検出部にて前記入力状態であると検出された入力端子のうち、前記優先度情報に基づく優先度の高い入力端子を、優先的に前記画像情報を入力させる優先入力端子として認識し、前記優先入力端子を前記入力選択部に選択させ前記優先入力端子を介して前記画像情報を入力させる選択制御を実施する選択制御部と、
前記優先入力端子を介して入力された前記画像情報に基づいて、前記表示手段に画像を表示させる表示制御を実施する表示制御部とを備えている
ことを特徴とする画像表示装置。
【請求項３】
請求項１または請求項２に記載の画像表示装置において、
他の前記入力端子を選択し前記画像情報の入力を切り換える旨の入力切換情報を設定入力させる設定入力手段を備え、
前記選択制御部は、前記設定入力手段に前記入力切換情報が設定入力された場合に、前記選択制御を実施する
ことを特徴とする画像表示装置。
【請求項４】
請求項３に記載の画像表示装置において、
前記表示制御部は、所定の入力端子を介して入力された前記画像情報に基づいて前記表示制御を実施している際、前記設定入力手段に前記入力切換情報が設定入力されることで前記選択制御部にて前記選択制御が実施され、前記選択制御部により前記所定の入力端子が前記優先入力端子であると認識された場合に、前記画像情報の入力の切り換えを無効とする旨の警告情報に基づく画像を前記表示手段に表示させる
ことを特徴とする画像表示装置。
【請求項５】
請求項１から請求項４のいずれかに記載の画像表示装置において、
前記選択制御部は、前記表示制御部により所定の入力端子を介して入力された前記画像情報に基づいて前記表示制御が実施されている際、前記入力状態検出部にて前記所定の入力端子が前記入力状態であると検出されなくなった場合に、再度、前記選択制御を実施する
ことを特徴とする画像表示装置。
【請求項６】
画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置の制御方法であって、
前記制御手段が、
前記複数の入力端子毎に設定され前記入力端子を選択する際の優先度に関する優先度情報に基づく優先度の高い順に前記入力端子を選択する選択ステップと、
前記選択ステップにて選択された入力端子を介して前記画像情報が入力されている入力状態であるか否かを検出する入力状態検出ステップと、
前記入力状態検出ステップにて前記入力状態であると検出した入力端子を、優先的に前記画像情報を入力させる優先入力端子として認識し、前記優先入力端子を介して前記画像情報を入力させる入力ステップと、
前記優先入力端子を介して入力された前記画像情報に基づいて、前記表示手段に画像を表示させる表示ステップとを実行する
ことを特徴とする制御方法。
【請求項７】
画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置の制御方法であって、
前記制御手段が、
前記複数の入力端子毎に前記画像情報が入力されている入力状態であるか否かを検出する入力状態検出ステップと、
前記入力状態検出ステップにて前記入力状態であると検出された入力端子のうち、前記複数の入力端子毎に設定され前記入力端子を選択する際の優先度に関する優先度情報に基づく優先度の高い入力端子を、優先的に前記画像情報を入力させる優先入力端子として認識し、前記優先入力端子を選択して前記優先入力端子を介して前記画像情報を入力させる選択入力ステップと、
前記優先入力端子を介して入力された前記画像情報に基づいて、前記表示手段に画像を表示させる表示ステップとを実行する
ことを特徴とする制御方法。
【請求項８】
画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置の制御プログラムであって、
請求項６または請求項７に記載の制御方法を前記制御手段に実行させる
ことを特徴とする制御プログラム。
【請求項９】
請求項８に記載の制御プログラムがコンピュータに読取可能に記録されていることを特徴とする制御プログラムを記録した記録媒体。
【発明の詳細な説明】
【技術分野】
【０００１】
本発明は、画像表示装置、制御方法、制御プログラム、および記録媒体に関する。
【背景技術】
【０００２】
従来、種々な形式の画像信号の供給を受けることによりプレゼンテーションを行ったり映画等の映像を観賞したりすることを可能とするプロジェクタ等の画像表示装置が知られている（例えば、特許文献１参照）。
そして、特許文献１に記載の画像表示装置は、パーソナルコンピュータやＤＶＤ(Digital Versatile Disk)プレーヤ等の種々の外部機器と接続するための複数の入力端子を備え、本体操作部やリモートコントローラに設けられた切替スイッチの操作（入力切換操作）により種々の形式の画像信号の入力を切換可能に構成されている。
【０００３】
【特許文献１】特開２００３−２７４３１６号公報
【発明の開示】
【発明が解決しようとする課題】
【０００４】
しかしながら、特許文献１に記載の画像表示装置では、所望の画像信号の入力に切り換えるまでに複数回の操作が必要となり、利用者に煩雑な作業を強いることとなり、利便性の向上が図れない、という問題がある。
【０００５】
本発明の目的は、利便性の向上が図れる画像表示装置、制御方法、制御プログラム、および記録媒体を提供することにある。
【課題を解決するための手段】
【０００６】
本発明の画像表示装置は、画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置であって、前記制御手段は、前記複数の入力端子のうちいずれかの入力端子を選択する入力選択部と、前記複数の入力端子毎に設定され、前記入力端子を選択する際の優先度に関する優先度情報を記憶する優先度情報記憶部と、前記入力選択部にて選択された入力端子を介して前記画像情報が入力されている入力状態であるか否かを検出する入力状態検出部と、前記優先度情報に基づく優先度の高い順に前記入力端子を前記入力選択部に選択させ、前記入力状態検出部にて前記入力状態であると検出された入力端子を、優先的に前記画像情報を入力させる優先入力端子として認識し、前記優先入力端子を介して前記画像情報を入力させる選択制御を実施する選択制御部と、前記優先入力端子を介して入力された前記画像情報に基づいて、前記表示手段に画像を表示させる表示制御を実施する表示制御部とを備えていることを特徴とする。
【０００７】
本発明では、画像表示装置を構成する制御手段は、入力選択部、優先度情報記憶部、入力状態検出部、選択制御部、および表示制御部を備えているので、以下に示すように、画像情報を入力し、入力した画像情報に基づく画像を表示手段に表示させることができる。
先ず、選択制御部は、優先度情報記憶部に記憶された優先度情報を読み出し、優先度情報に基づく優先度の高い順に入力端子を入力選択部に選択させる（選択ステップ）。
また、入力状態検出部は、入力選択部にて入力端子が選択される毎に、選択された入力端子を介して画像情報が入力されている入力状態であるか否かを検出する（入力状態検出ステップ）。
そして、選択制御部は、入力状態検出部にて入力状態であると検出された入力端子を、優先的に画像情報を入力させる優先入力端子として認識し、優先入力端子を介して画像情報を入力させる（入力ステップ）。
この後、表示制御部は、優先入力端子を介して入力された画像情報に基づいて、表示手段に画像を表示させる（表示ステップ）。
【０００８】
以上のように、制御手段は、優先度の高い順に入力端子を選択しながら入力端子の入力状態を検出して、優先度が高く、かつ、画像情報が入力されている入力状態である入力端子（優先入力端子）を選択し、優先入力端子を介して画像情報を入力させる処理を実行できる。このことにより、所望（高い優先度）の画像情報（画像信号）の入力に自動的に切り換えることができ、利用者に入力切換操作を複数回、実施させるような煩雑な作業を強いることがなく、利便性の向上が図れる。
【０００９】
本発明の画像表示装置は、画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置であって、前記制御手段は、前記複数の入力端子のうちいずれかの入力端子を選択する入力選択部と、前記複数の入力端子毎に設定され、前記入力端子を選択する際の優先度に関する優先度情報を記憶する優先度情報記憶部と、前記複数の入力端子毎に前記画像情報が入力されている入力状態であるか否かを検出する入力状態検出部と、前記入力状態検出部にて前記入力状態であると検出された入力端子のうち、前記優先度情報に基づく優先度の高い入力端子を、優先的に前記画像情報を入力させる優先入力端子として認識し、前記優先入力端子を前記入力選択部に選択させ前記優先入力端子を介して前記画像情報を入力させる選択制御を実施する選択制御部と、前記優先入力端子を介して入力された前記画像情報に基づいて、前記表示手段に画像を表示させる表示制御を実施する表示制御部とを備えていることを特徴とする。
【００１０】
本発明では、画像表示装置を構成する制御手段は、入力選択部、優先度情報記憶部、入力状態検出部、選択制御部、および表示制御部を備えているので、以下に示すように、画像情報を入力し、入力した画像情報に基づく画像を表示手段に表示させることができる。
先ず、入力状態検出部は、複数の入力端子とそれぞれ直接、接続し、複数の入力端子毎に画像情報が入力されている入力状態であるか否かを一括して検出する（入力状態検出ステップ）。
次に、選択制御部は、優先度情報記憶部に記憶された優先度情報を読み出す。また、選択制御部は、入力状態検出部にて入力状態であると検出された入力端子のうち、優先度情報に基づく優先度の高い入力端子を、優先的に画像情報を入力させる優先入力端子として認識し、優先入力端子を入力選択部に選択させ優先入力端子を介して画像情報を入力させる（選択入力ステップ）。
この後、表示制御部は、優先入力端子を介して入力された画像情報に基づいて、表示手段に画像を表示させる（表示ステップ）。
【００１１】
以上のように、制御手段は、入力状態である入力端子を一括して検出し優先度情報に基づいて入力状態である入力端子のうち最も優先度の高い入力端子（優先入力端子）を認識して、優先度が高く、かつ、画像情報が入力されている入力状態である優先入力端子を選択し、優先入力端子を介して画像情報を入力させる処理を実行できる。このことにより、所望（高い優先度）の画像情報（画像信号）の入力に自動的に切り換えることができ、利用者に入力切換操作を複数回、実施させるような煩雑な作業を強いることがなく、利便性の向上が図れる。
【００１２】
本発明の画像表示装置では、他の前記入力端子を選択し前記画像情報の入力を切り換える旨の入力切換情報を設定入力させる設定入力手段を備え、前記選択制御部は、前記設定入力手段に前記入力切換情報が設定入力された場合に、前記選択制御を実施することが好ましい。
ところで、従来の画像表示装置では、複数の外部機器が接続され、複数の外部機器から画像信号がそれぞれ供給されている場合には、入力切換操作を順次、実施すると、画像信号の入力が順次、切り換えられるため、各外部機器から供給されている画像信号に応じた画像がそれぞれ表示されることとなる。例えば、パーソナルコンピュータ等の外部機器から供給されている画像信号に応じた画像を表示してプレゼンテーションを実施している際に、誤って入力切換操作を実施した場合には、プレゼンテーションに用いない他の外部機器から供給される画像信号に応じた画像を表示してしまうこととなる。
【００１３】
本発明では、選択制御部は、利用者により入力切換操作が実施された場合（設定入力手段に入力切換情報が設定入力された場合）に、選択制御（選択ステップ、入力ステップ、選択入力ステップ）を実施する。このことにより、入力切換操作が実施された場合に、制御手段は、優先度が高く、かつ、画像情報が入力されている入力状態である優先入力端子を選択し、優先入力端子を介して画像情報を入力させる処理を実行するので、例えば、上記の場合には、パーソナルコンピュータ等の外部機器から供給される画像信号を入力する入力端子の優先度を高く設定しておけば、誤って入力切換操作を実施しても、再度、前記入力端子を選択することとなり、プレゼンテーションに用いない他の外部機器から供給される画像信号に応じた画像を表示してしまうことを防止できる。
【００１４】
本発明の画像表示装置では、前記表示制御部は、所定の入力端子を介して入力された前記画像情報に基づいて前記表示制御を実施している際、前記設定入力手段に前記入力切換情報が設定入力されることで前記選択制御部にて前記選択制御が実施され、前記選択制御部により前記所定の入力端子が前記優先入力端子であると認識された場合に、前記画像情報の入力の切り換えを無効とする旨の警告情報に基づく画像を前記表示手段に表示させることが好ましい。
ところで、所定の入力端子を介して入力された画像情報に基づく画像が表示手段にて表示されている際に、利用者により入力切換操作が実施されることで選択制御部にて選択制御が実施され、再度、前記所定の入力端子が優先入力端子として認識された場合には、表示手段にて表示されている画像が切り換わらないこととなる。すなわち、利用者は、入力切換操作を実施したにも拘らず、表示されている画像が切り換わらないため、画像表示装置が故障したと認識する恐れがある。
【００１５】
本発明では、表示制御部は、表示制御を実施している際、利用者により入力切換操作が実施されることで選択制御部にて選択制御が実施され、再度、同一の入力端子が優先入力端子であると認識された場合に、画像情報の入力の切り換えを無効とする旨の警告情報に基づく画像を表示手段に表示させる。このことにより、警告情報に基づく画像として、例えば、「現在表示中の入力が最も優先度の高い入力です。」という旨のメッセージを表示させれば、利用者は、上記の場合において、入力切換操作を実施したにも拘らず、表示されている画像が切り換わらなくても、現在表示中の入力が最も優先度の高い入力であることを認識し、画像表示装置が故障したと認識することがない。
【００１６】
本発明の画像表示装置では、前記選択制御部は、前記表示制御部により所定の入力端子を介して入力された前記画像情報に基づいて前記表示制御が実施されている際、前記入力状態検出部にて前記所定の入力端子が前記入力状態であると検出されなくなった場合に、再度、前記選択制御を実施することが好ましい。
ところで、所定の入力端子を介して入力された画像情報に基づく画像が表示手段にて表示されている際に、前記所定の入力端子を介して画像情報が入力されなくなった場合（例えば、前記所定の入力端子に接続する外部機器を外した場合等）には、前記所定の入力端子を介した画像情報の供給がなくなるため、表示手段は無地の無信号表示を実施してしまう。
【００１７】
本発明では、入力状態検出部は、表示制御部により所定の入力端子を介して入力された画像情報に基づいて表示制御が実施されている際、前記所定の入力端子を介して画像情報が入力されている入力状態であるか否かを常時、検出する。すなわち、前記所定の入力端子を介して画像情報が入力されなくなったことを、入力状態検出部にて検出できる。そして、選択制御部は、入力状態検出部にて前記所定の入力端子が入力状態であると検出されなくなった場合に、再度、選択制御（選択ステップ、入力ステップ、選択入力ステップ）を実施する。このことにより、前記所定の入力端子を介して画像情報が入力されなくなった場合であっても、前記所定の入力端子を除く入力端子のうち、優先度が高く、かつ、画像情報が入力されている入力状態である優先入力端子が選択され、優先入力端子を介して画像情報が入力されるため、前記画像情報に基づく画像が表示手段にて表示されることとなる。したがって、表示手段にて画像情報に基づく画像を常に表示させることが可能となり、例えば、複数の発表者によるプレゼンテーションの合間に、入力切換操作を実施させることなく、プレゼンテーションに用いない他の外部機器から供給される画像信号に基づく所定の画像を自動的に表示手段に表示させることができる。
【００１８】
本発明の制御方法は、画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置の制御方法であって、前記制御手段が、前記複数の入力端子毎に設定され前記入力端子を選択する際の優先度に関する優先度情報に基づく優先度の高い順に前記入力端子を選択する選択ステップと、前記選択ステップにて選択された入力端子を介して前記画像情報が入力されている入力状態であるか否かを検出する入力状態検出ステップと、前記入力状態検出ステップにて前記入力状態であると検出した入力端子を、優先的に前記画像情報を入力させる優先入力端子として認識し、前記優先入力端子を介して前記画像情報を入力させる入力ステップと、前記優先入力端子を介して入力された前記画像情報に基づいて、前記表示手段に画像を表示させる表示ステップとを実行することを特徴とする。
【００１９】
本発明の制御方法は、画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置の制御方法であって、前記制御手段が、前記複数の入力端子毎に前記画像情報が入力されている入力状態であるか否かを検出する入力状態検出ステップと、前記入力状態検出ステップにて前記入力状態であると検出された入力端子のうち、前記複数の入力端子毎に設定され前記入力端子を選択する際の優先度に関する優先度情報に基づく優先度の高い入力端子を、優先的に前記画像情報を入力させる優先入力端子として認識し、前記優先入力端子を選択して前記優先入力端子を介して前記画像情報を入力させる選択入力ステップと、前記優先入力端子を介して入力された前記画像情報に基づいて、前記表示手段に画像を表示させる表示ステップとを実行することを特徴とする。
【００２０】
本発明の制御方法は、上述した画像表示装置によって実施されるものであるので、上述した画像表示装置と同様の作用および効果を享受できる。
【００２１】
本発明の制御プログラムは、画像情報に基づく画像を表示する表示手段と、前記画像情報を入力するための複数の入力端子と、前記複数の入力端子のうちいずれかの入力端子を介して入力した画像情報に基づく画像を前記表示手段に表示させる制御手段とを備えた画像表示装置の制御プログラムであって、上述した制御方法を前記制御手段に実行させることを特徴とする。
【００２２】
本発明の記録媒体は、上述した制御プログラムがコンピュータに読取可能に記録されていることを特徴とする。
【００２３】
以上のような構成の制御プログラムおよび記録媒体は、上述した制御方法を実施するために利用されるので、上述した制御方法と同様の作用および効果を享受できる。
また、上述した制御プログラムを記録媒体に記録させるので、プログラムの取り扱いが容易となる。
【発明を実施するための最良の形態】
【００２４】
[第１実施形態]
以下、本発明の第１実施形態を図面に基づいて説明する。
〔プロジェクタの構成〕
図１は、第１実施形態におけるプロジェクタ１の構成を示すブロック図である。
プロジェクタ１は、入力した画像情報（画像信号）に対して所定の画像処理を施し、画像処理を施した画像情報に基づいて、光源から射出された光束を光学的に処理して画像光を形成し、スクリーン（図示略）に拡大投射する。このプロジェクタ１は、図１に示すように、表示手段としての画像投射部１０と、設定入力手段としての操作部２０と、複数の入力端子３０と、制御手段としての制御装置４０とで大略構成されている。
【００２５】
画像投射部１０は、制御装置４０による制御の下、画像光を形成してスクリーンに拡大投射する。この画像投射部１０は、図１に示すように、光源装置１１と、光変調素子としての液晶ライトバルブ１２と、投射光学系１３等を備える。
光源装置１１は、制御装置４０による制御の下、光束を液晶ライトバルブ１２に向けて射出する。この光源装置１１は、光源ランプ１１１と、光源駆動部１１２とを備える。
【００２６】
光源ランプ１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
光源駆動部１１２は、制御装置４０による制御の下、所定の駆動電圧で光源ランプ１１１を駆動する。
【００２７】
液晶ライトバルブ１２は、透過型の液晶パネルであり、制御装置４０からの駆動信号に基づいて、液晶セル（図示略）に封入された液晶分子の配列を変化させ、光源ランプ１１１から射出された光束を、透過若しくは遮断することにより駆動信号に応じた画像光を投射光学系１３に射出する。
投射光学系１３は、液晶ライトバルブ１２から射出された画像光をスクリーンに向けて拡大投射する。
【００２８】
なお、図示は省略したが、プロジェクタ１は、ＲＧＢの３色に対応する３枚の液晶ライトバルブ１２を備えている。また、光源装置１１は、光源光を３色の光に分離する色分離光学系を備えている。さらに、投射光学系１３は、３色の画像光を合成してカラー画像を表す画像光を生成する色合成光学系を有している。なお、このような光学系の構成については、種々の一般的なプロジェクタの光学系の構成が利用可能である。
【００２９】
操作部２０は、図示しないリモートコントローラや、プロジェクタ１に備えられたボタンやキーにより構成され、利用者による操作を認識して所定の操作信号を制御装置４０に出力する。この操作部２０は、図１に示すように、入力切換部２１等を備える。なお、図１では、操作部２０におけるプロジェクタ１のＯＮ／ＯＦＦを実施する入力部、音量調整を実施する入力部、投影画像の画質調整を実施する入力部等の他の入力部については、図示を省略している。
入力切換部２１は、他の入力端子を選択し画像信号の入力を切り換える旨の入力切換情報を設定入力させるための入力ボタンである。そして、入力切換部２１は、利用者による押下を認識し、入力切換情報としての操作信号を制御装置４０に出力する。
【００３０】
複数の入力端子３０は、外部機器（図示略）から画像信号を入力するための入力端子であり、図１に示すように、第１の入力端子３１と、第２の入力端子３２と、第３の入力端子３３と、第４の入力端子３４とで構成されている。
第１の入力端子３１は、Ｒ（赤）、Ｇ（緑）、Ｂ（青）成分毎の信号が独立したアナログＲＧＢ信号を入力するための端子（例えば、Dsub端子等）で構成されている。すなわち、第１の入力端子３１は、外部機器である例えばパーソナルコンピュータ等と信号線を介して接続可能とし、パーソナルコンピュータ等から出力されるアナログＲＧＢ信号を入力する。
【００３１】
第２の入力端子３２は、ハイビジョン放送に代表され、輝度情報を持つ輝度信号と、輝度信号および赤色信号の差を取った赤色差信号と、輝度信号および青色信号の差を取った青色差信号との３つの信号から構成されるコンポーネント信号を入力するための端子（例えば、Ｄ端子等）で構成されている。すなわち、第２の入力端子３２は、外部機器である例えばＤＶＤプレーヤ等と信号線を介して接続可能とし、ＤＶＤプレーヤ等から出力されるコンポーネント信号を入力する。
【００３２】
第３の入力端子３３は、輝度情報を持つ信号と、色情報を持つ信号とが分離されたＳ信号を入力するための端子（例えば、Ｓ端子等）で構成されている。すなわち、第３の入力端子３３は、外部機器である例えばＳ信号ビデオテープレコーダ等と信号線を介して接続可能とし、Ｓ信号ビデオテープレコーダ等から出力されるＳ信号を入力する。
第４の入力端子３４は、従来の地上波ＴＶ放送に代表され、輝度情報を持つ信号と、色情報を持つ信号とが複合化されたコンポジット信号を入力するための端子（例えば、１ＲＣＡ端子等）で構成されている。すなわち、第４の入力端子３４は、外部機器である例えばビデオテープレコーダ等と信号線を介して接続可能とし、ビデオテープレコーダ等から出力されるコンポジット信号を入力する。
【００３３】
制御装置４０は、ＣＰＵ(Central Processing Unit)等の主制御部４５を含んで構成され、メモリ４６に記憶された制御プログラムにしたがって、プロジェクタ１全体を制御する。なお、制御装置４０の構成としては、入力した画像信号の処理機能を主に説明し、その他の機能については説明を省略する。この制御装置４０は、主制御部４５およびメモリ４６の他、入力選択部４１と、入力状態検出部４２と、信号変換部４３と、表示制御部４４等を備える。
【００３４】
入力選択部４１は、主制御部４５からの制御信号に応じて、複数の入力端子３１〜３４のうちいずれかの入力端子３０を選択し、選択した入力端子３０を介して信号を入力させる、いわゆるセレクタで構成されている。
入力状態検出部４２は、主制御部４５からの制御信号に応じて、入力選択部４１にて選択された入力端子３０を介して画像信号が入力されている入力状態であるか否かを検出する。例えば、入力状態検出部４２は、入力選択部４１にて選択された入力端子３０を介して画像信号が入力されている入力状態であるか否かを、画像信号に含まれている同期信号の有無を確認することで検出する。そして、入力状態検出部４２は、画像信号が入力されている入力状態、あるいは、画像信号が入力されていない非入力状態に応じた信号を主制御部４５に出力する。
【００３５】
信号変換部４３は、主制御部４５からの制御信号に応じて、入力選択部４１にて選択された入力端子３０を介して入力した画像信号に対して、所定の信号処理を実施し、デジタル信号（デジタル画像データ）として出力する。例えば、信号変換部４３は、入力した画像信号がアナログＲＧＢ信号やコンポーネント信号であった場合にはＡ／Ｄ変換処理等を施しデジタル信号として出力する。また、信号変換部４３は、入力した画像信号がＳ信号やコンポジット信号であった場合には、コンポーネント信号に変換してからＡ／Ｄ変換処理等を施しデジタル信号として出力する。
【００３６】
表示制御部４４は、主制御部４５からの制御信号に応じて、液晶ライトバルブ１２の駆動制御を実施する部分である。より具体的に、表示制御部４４は、信号変換部４３を介して入力したデジタル画像データに対して所定の画像データ処理を施し、画像データ処理を施したデジタル画像データ（以下、処理済画像データ）に応じた駆動信号を液晶ライトバルブ１２に出力することで処理済画像データに基づく画像（画像光）を液晶ライトバルブ１２に形成させる表示制御を実施する。この表示制御部４４は、図１に示すように、画像データ処理部４４１と、パネル駆動部４４２等を備える。
【００３７】
画像データ処理部４４１は、信号変換部４３から出力されたデジタル画像データに対して、解像度を液晶ライトバルブ１２の解像度（画素数）に合わせる解像度変換処理、拡大・縮小等の画像サイズ調整処理、輝度調整処理、コントラスト調整処理、シャープネス調整処理、メニューやメッセージ等のＯＳＤ（オンスクリーンディスプレイ）画像を合成する処理、台形歪補正処理、ガンマ補正処理等の各種の画像データ処理を実施する。なお、具体的な図示は省略したが、画像データ処理部４４１は、上述した画像データ処理を実施する際の画像メモリおよびＯＳＤメモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。前記ＯＳＤメモリは、メニューやメッセージ等のＯＳＤ画像に関するＯＳＤ画像情報を記憶する部分である。
【００３８】
パネル駆動部４４２は、画像データ処理部４４１にて画像データ処理が施された処理済画像データから液晶ライトバルブ１２を駆動するための駆動信号を生成し、液晶ライトバルブ１２に駆動信号を出力することで、液晶ライトバルブ１２に処理済画像データに基づく画像（画像光）を形成させる。
【００３９】
メモリ４６は、制御プログラムの他、入力端子３１〜３４毎に設定され、入力端子を選択する際の優先度に関する優先度情報を記憶する。ここで、優先度情報としては、優先度の高い方を「１」、優先度の低い方を「４」とした各優先度「１」、「２」、「３」、「４」と、各入力端子３１〜３４とが関連付けられた情報である。なお、メモリ４６に記憶された優先度情報としては、予め設定された情報としてもよく、あるいは、利用者による操作部２０等の操作により設定され変更可能とする情報としても構わない。
すなわち、メモリ４６は、本発明に係る優先度情報記憶部に相当する。
【００４０】
主制御部４５は、メモリ４６に記憶された制御プログラムにしたがって、各構成部材４１〜４４に所定の制御信号を出力し、所定の処理を実行させる。例えば、主制御部４５は、プロジェクタ１の起動時や、プロジェクタ１の駆動時において操作部２０の入力切換部２１から操作信号を入力した際（入力切換操作時）等に、メモリ４６に記憶された優先度情報に基づく優先度の高い順に入力端子３０を入力選択部４１に選択させ、入力状態検出部４２にて入力状態であると検出された入力端子３０を、優先的に画像信号を入力させる優先入力端子として認識し、優先入力端子を介して画像信号を入力させる選択制御を実施する。
すなわち、主制御部４５は、本発明に係る選択制御部に相当する。
【００４１】
〔プロジェクタの動作（制御方法）〕
次に、上述したプロジェクタ１の動作について図面を参照して説明する。
なお、以下では、プロジェクタ１の動作として、入力端子３０の選択動作を主に説明し、その他の動作については、説明を省略する。また、入力端子３０の選択動作として、プロジェクタ１の起動時での選択動作、および入力切換操作時での選択動作を順に説明する。
また、以下では、説明の便宜上、メモリ４６に記憶された優先度情報として、第１の入力端子３１に優先度「１」が関連付けられ、第２の入力端子３２に優先度「２」が関連付けられ、第３の入力端子３３に優先度「３」が関連付けられ、第４の入力端子３４に優先度「４」が関連付けられた情報に設定されているものとする。また、各入力端子３１〜３４のうち、第１の入力端子３１を除く他の入力端子３２〜３４が各外部機器とそれぞれ接続し、各入力端子３２〜３４に画像信号がそれぞれ供給されているものとする。
【００４２】
〔起動時での選択動作〕
図２は、起動時でのプロジェクタ１の動作を説明するフローチャートである。
利用者による操作部２０の入力操作によりプロジェクタ１の電源がＯＮされ、プロジェクタ１が起動すると、主制御部４５は、メモリ４６に記憶された制御プログラムを読み出し、該制御プログラムにしたがって、以下の処理を実行する。
すなわち、主制御部４５は、メモリ４６に記憶された優先度情報を読み出し、各入力端子３１〜３４の優先度を認識する（ステップＳ１）。
ステップＳ１の後、主制御部４５は、最も優先度の高い「１」に関連付けられた入力端子３０（本実施形態では、上述したような優先度情報の設定により、第１の入力端子３１）を認識し、入力選択部４１に所定の制御信号を出力する。そして、入力選択部４１は、主制御部４５からの制御信号に応じて、最も優先度の高い入力端子３０（第１の入力端子３１）を選択する（ステップＳ２）。
【００４３】
ステップＳ２の後、主制御部４５は、入力状態検出部４２に所定の制御信号を出力する。そして、入力状態検出部４２は、主制御部４５からの制御信号に応じて、入力選択部４１にて選択された入力端子３０（最も優先度の高い第１の入力端子３１）に画像信号が入力されている入力状態であるか否かを検出する（ステップＳ３：入力状態検出ステップ）。
ステップＳ３の後、主制御部４５は、入力状態検出部４２から出力される信号に基づいて、入力選択部４１にて選択された入力端子３０（最も優先度の高い第１の入力端子３１）が入力状態であるか否かを判定する（ステップＳ４）。
【００４４】
本実施形態では、上述したような入力端子３０と外部機器との接続状態により、すなわち、第１の入力端子３１は、外部機器（例えば、パーソナルコンピュータ）と接続しておらず、画像信号が供給されていないため、ステップＳ３において、入力状態検出部４２は、入力選択部４１にて選択された第１の入力端子３１が非入力状態である旨を検出し、非入力状態に応じた信号を主制御部４５に出力する。
そして、ステップＳ４において、主制御部４５は、「Ｎ」、すなわち、第１の入力端子３１が非入力状態であると判定する。
【００４５】
ステップＳ４において、主制御部４５は、「Ｎ」と判定した場合、すなわち、最も優先度の高い入力端子３０（第１の入力端子３１）が非入力状態であると判定した場合、４つ全ての入力端子３１〜３４の入力状態を検出させたか否かを判定する（ステップＳ５）。
ステップＳ５において、主制御部４５は、「Ｎ」と判定した場合、すなわち、４つ全ての入力端子３１〜３４の入力状態を検出させていないと判定した場合、優先度情報に基づいて、次に優先度の高い入力端子３０（本実施形態では、上述したような優先度情報の設定により、第２の入力端子３２）を認識し、入力選択部４１に所定の制御信号を出力する。そして、入力選択部４１は、主制御部４５からの制御信号に応じて、次に優先度の高い入力端子３０（第２の入力端子３２）を選択する（ステップＳ６：選択ステップ）。
【００４６】
ステップＳ６の後、主制御部４５は、再度、入力状態検出部４２に次に優先度の高い入力端子３０（第２の入力端子３２）が入力状態であるか否かを検出させ（ステップＳ３）、入力状態検出部４２から出力される信号に基づいて次に優先度の高い入力端子３０（第２の入力端子３２）が入力状態であるか否かを判定する（ステップＳ４）。
本実施形態では、上述したような入力端子３０と外部機器との接続状態により、すなわち、第２の入力端子３２は、外部機器（例えば、ＤＶＤプレーヤ）と接続し、外部機器から画像信号が供給されているため、ステップＳ３において、入力状態検出部４２は、第２の入力端子３２が入力状態である旨を検出し、入力状態に応じた信号を主制御部４５に出力する。
そして、ステップＳ４において、主制御部４５は、「Ｙ」、すなわち、第２の入力端子３２が入力状態であると判定する。
【００４７】
以上のように、主制御部４５は、プロジェクタ１の駆動時、ステップＳ１〜Ｓ６において、優先度の高い順に入力選択部４１に入力端子３０を選択させながら、入力状態検出部４２にて入力端子３０の入力状態を検出させている。
そして、ステップＳ１，Ｓ２，Ｓ６が本発明に係る選択ステップに相当する。
【００４８】
ステップＳ４において、主制御部４５は、「Ｙ」と判定した場合、すなわち、入力選択部４１にて選択された入力端子３０（第２の入力端子３２）が入力状態であると判定した場合、前記入力端子３０（第２の入力端子３２）を、優先的に画像信号を入力させる優先入力端子として認識し、優先入力端子（第２の入力端子３２）を介して画像信号を入力させる（ステップＳ７：入力ステップ）。
【００４９】
ステップＳ７の後、主制御部４５は、信号変換部４３に所定の制御信号を出力する。そして、信号変換部４３は、主制御部４５からの制御信号に応じて、優先入力端子（第２の入力端子３２）を介して入力された画像信号（コンポーネント信号）に対して信号処理を実行し、デジタル信号として出力する。また、主制御部４５は、表示制御部４４に所定の制御信号を出力する。そして、表示制御部４４は、主制御部４５からの制御信号に応じて、信号変換部４３から出力されるデジタル画像データに対して、画像データ処理を実行し、液晶ライトバルブ１２に前記画像信号に基づく画像光を形成させる。以上の処理により、プロジェクタ１から画像光が拡大投射され、スクリーン上に、外部機器（ＤＶＤプレーヤ等）から出力された画像信号に基づく画像（映像）が表示される（ステップＳ８：表示ステップ）。
【００５０】
ステップＳ８において、優先入力端子（第２の入力端子３２）を介した画像信号に基づく画像がスクリーン上に表示されプロジェクタ１が駆動した後は、主制御部４５は、再度、ステップＳ３に戻り、ステップＳ３〜Ｓ７を繰り返し実施する。
すなわち、主制御部４５は、優先入力端子（第２の入力端子３２）を介して画像信号が供給されている間では、ステップＳ３，Ｓ４において優先入力端子（第２の入力端子３２）が入力状態であると判定するため、ステップＳ７において第２の入力端子３２を優先入力端子として認識し、ステップＳ８において外部機器（ＤＶＤプレーヤ等）から出力され優先入力端子（第２の入力端子３２）を介して入力した画像信号に基づく映像表示を継続する。
【００５１】
一方、主制御部４５は、優先入力端子（第２の入力端子３２）を介して画像信号が供給されなくなった場合（例えば、第２の入力端子３２に接続された外部機器が外された場合）には、ステップＳ３，Ｓ４において優先入力端子（第２の入力端子３２）が非入力状態であると判定するため、ステップＳ５，Ｓ６において次に優先度の高い「３」に関連付けられた入力端子３０（本実施形態では、上述したような優先度情報の設定により、第３の入力端子３３）を入力選択部４１に選択させる。そして、上述したような入力端子３０と外部機器との接続状態により、主制御部４５は、ステップＳ３，Ｓ４において次に優先度の高い入力端子３０（第３の入力端子３３）が入力状態であると判定するため、ステップＳ７において第３の入力端子３３を優先入力端子として認識し、ステップＳ８において、外部機器（ＤＶＤプレーヤ等）から出力され第２の入力端子３２を介して入力した画像信号に基づく映像表示から、外部機器（Ｓ信号ビデオテープレコーダ等）から出力され優先入力端子（第３の入力端子３３）を介して入力した画像信号に基づく映像表示に切り換える。
すなわち、主制御部４５は、表示制御部４４により所定の入力端子（第２の入力端子３２）を介して入力された画像信号に基づいて表示制御が実施されている際、入力状態検出部４２にて前記所定の入力端子（第２の入力端子３２）が入力状態であると検出されなくなった場合に、再度、選択制御（選択ステップＳ６、入力ステップＳ７）を実施する。
【００５２】
なお、上述したような入力端子３０と外部機器との接続状態ではなく、例えば、全ての入力端子３１〜３４に画像信号が供給されていない場合（例えば、全ての入力端子３１〜３４が外部機器と接続していない場合等）には、主制御部４５は、上述したステップＳ３〜Ｓ６を繰り返し実施し、ステップＳ５において、「Ｙ」、すなわち、４つ全ての入力端子３１〜３４の入力状態を検出したと判定することとなる。ステップＳ５において、主制御部４５は、「Ｙ」と判定した場合には、表示制御部４４に所定の制御信号を出力する。そして、表示制御部４４は、液晶ライトバルブ１２に例えば青色の無地の画像光を形成させる。以上の処理により、プロジェクタ１から画像光が拡大投射され、スクリーン上に、無信号状態を示す無信号画像（青色の無地画像）が表示される（ステップＳ９）。
【００５３】
〔入力切換操作時での選択動作〕
図３は、入力切換操作時でのプロジェクタ１の動作を説明するフローチャートである。
図４は、入力切換操作時でのプロジェクタ１の動作を説明するための図である。より具体的に、図４は、入力切換操作時におけるプロジェクタ１の動作により表示される画像の一例を示す図である。
上述したステップＳ８において外部機器（ＤＶＤプレーヤ等）から出力され優先入力端子（第２の入力端子３２）を介して入力した画像信号に基づく映像表示が実施されている際、主制御部４５は、利用者による入力切換部２１が押下され、入力切換部２１からの入力切換情報としての操作信号を入力したか否かを常時、監視する（ステップＳ１０）。すなわち、主制御部４５は、入力切換部２１からの操作信号を入力するまで、ステップＳ８において外部機器（ＤＶＤプレーヤ等）から出力され優先入力端子（第２の入力端子３２）を介して入力した画像信号に基づく映像表示を継続する。
【００５４】
ステップＳ１０において、主制御部４５は、「Ｙ」と判定した場合、すなわち、利用者により入力切換操作が実施された場合、優先度情報に基づいて、ステップＳ８において表示している画像の画像信号を入力している入力端子３０（第２の入力端子３２）よりも優先度の高い入力端子３０が有るか否かを判定する（ステップＳ１１）。
本実施形態では、上述したような優先度情報の設定により、主制御部４５は、ステップＳ１１において、「Ｙ」、すなわち、ステップＳ８において表示している画像の画像信号を入力している入力端子３０（第２の入力端子３２）よりも優先度の高い入力端子３０（第１の入力端子３１）が有ると判定する。
【００５５】
ステップＳ１１において、主制御部４５は、「Ｙ」と判定した場合、すなわち、ステップＳ８において表示している画像の画像信号を入力している入力端子３０（第２の入力端子３２）よりも優先度の高い入力端子３０（第１の入力端子３１）が有ると判定した場合、優先度情報に基づいて、前記優先度の高い入力端子を認識する（ステップＳ１２）。
本実施形態では、上述したような優先度情報の設定により、主制御部４５は、ステップＳ１２において、ステップＳ８において表示している画像の画像信号を入力している入力端子３０（第２の入力端子３２）よりも優先度の高い入力端子３０が第１の入力端子３１のみであると認識する。
【００５６】
ステップＳ１２の後、主制御部４５は、ステップＳ１２において認識した優先度の高い入力端子３０のうち、最も優先度の高い入力端子３０（第１の入力端子３１）を認識し、入力選択部４１に所定の制御信号を出力する。そして、入力選択部４１は、主制御部４５からの制御信号に応じて、ステップＳ１２において認識された優先度の高い入力端子３０のうち、最も優先度の高い入力端子３０（第１の入力端子３１）を選択する（ステップＳ１３）。
【００５７】
ステップＳ１３の後、主制御部４５は、入力状態検出部４２に所定の制御信号を出力する。そして、入力状態検出部４２は、主制御部４５からの制御信号に応じて、ステップＳ１３において選択された入力端子３０（第１の入力端子３１）が入力状態であるか否かを検出する（ステップＳ１４：入力状態検出ステップ）。
ステップＳ１４の後、主制御部４５は、入力状態検出部４２から出力される信号に基づいて、ステップＳ１３において選択された入力端子３０（第１の入力端子３１）が入力状態であるか否かを判定する（ステップＳ１５）。
【００５８】
本実施形態では、上述したような入力端子３０と外部機器との接続状態により、すなわち、第１の入力端子３１は、外部機器（例えば、パーソナルコンピュータ）と接続しておらず、画像信号が供給されていないため、ステップＳ１４において、入力状態検出部４２は、入力選択部４１にて選択された第１の入力端子３１が非入力状態である旨を検出し、非入力状態に応じた信号を主制御部４５に出力する。
そして、ステップＳ１５において、主制御部４５は、「Ｎ」、すなわち、第１の入力端子３１が非入力状態であると判定する。
【００５９】
ステップＳ１５において、主制御部４５は、「Ｎ」と判定した場合、すなわち、ステップＳ１３において選択された入力端子３０（第１の入力端子３１）が非入力状態であると判定した場合には、ステップＳ１２において認識した優先度の高い全ての入力端子３０を入力選択部４１に選択させたか否かを判定する（ステップＳ１６）。
本実施形態では、上述したように、ステップＳ１２において、主制御部４５は、ステップＳ８において表示している画像の画像信号を入力している入力端子３０（第２の入力端子３２）よりも優先度の高い入力端子３０が第１の入力端子３１のみであると認識している。このため、ステップＳ１６において、主制御部４５は、「Ｙ」、すなわち、第２の入力端子３２よりも優先度の高い全ての入力端子を入力選択部４１に選択させたと判定する。
【００６０】
ステップＳ１６において、主制御部４５は、「Ｎ」と判定した場合、すなわち、ステップＳ１２において認識した優先度の高い全ての入力端子３０を入力選択部４１に選択させたと判定した場合には、ステップＳ８において表示している画像の画像信号を入力している入力端子３０（第２の入力端子３２）を優先入力端子として認識し、入力選択部４１に所定の制御信号を出力する。そして、入力選択部４１は、主制御部４５からの制御信号に応じて、優先入力端子（第２の入力端子３２）を再度、選択し、優先入力端子（第２の入力端子３２）を介して画像信号を入力させる（ステップＳ１７：入力ステップ）。
【００６１】
ステップＳ１７の後、主制御部４５は、信号変換部４３および表示制御部４４に所定の制御信号（所定のＯＳＤコマンドを含む）を出力する。そして、信号変換部４３および表示制御部４４は、主制御部４５からの制御信号に応じて、優先入力端子（第２の入力端子３２）を介して入力された画像信号（コンポーネント信号）に対して処理を実行し、液晶ライトバルブ１２に前記画像信号に基づく画像光を形成させる。また、表示制御部４４は、主制御部４５からのＯＳＤコマンドに応じて、前記ＯＳＤメモリから、画像信号の入力の切り換えを無効とする旨の警告情報であるＯＳＤ画像情報（メッセージ）を読み出し、優先入力端子（第２の入力端子３２）を介して入力される画像信号に基づく画像にメッセージを重畳させた画像光を液晶ライトバルブ１２に形成させる。
そして、図４に示すように、プロジェクタ１から画像光が拡大投射され、スクリーン上に、優先入力端子（第２の入力端子３２）を介して入力される画像信号に基づく画像Ｄ０に対して、警告情報である例えば「現在表示中の入力が最も優先度の高い入力です。」というメッセージＤ１が重畳された画像Ｄが表示される（ステップＳ１８）。
【００６２】
ここで、例えば、ステップＳ８において表示している画像の画像信号を入力している入力端子３０が第１の入力端子３１である場合には、上述したような優先度情報の設定により、第１の入力端子３１に関連付けられた優先度「１」よりも高い優先度が関連付けられた入力端子３０がないため、主制御部４５は、ステップＳ１１において、「Ｎ」、すなわち、ステップＳ８において表示している画像の画像信号を入力している入力端子３０（第１の入力端子３１）よりも優先度の高い入力端子３０がないと判定する。そして、ステップＳ１１において、主制御部４５は、「Ｎ」と判定した場合には、ステップＳ１８に移行し、ステップＳ１８において、信号変換部４３および表示制御部４４に所定の制御信号（所定のＯＳＤコマンドを含む）を出力し、スクリーン上に画像Ｄを表示させる。
【００６３】
また、例えば、第２の入力端子３２を介して画像信号が供給されなくなった場合（例えば、第２の入力端子３２に接続された外部機器が外された場合）には、上述したように、優先入力端子が第３の入力端子３３となり、ステップＳ８において外部機器から出力され第３の入力端子３３を介して入力した画像信号に基づく画像が表示されることとなる。この場合には、主制御部４５は、ステップＳ１２において、ステップＳ８において表示している画像の画像信号を入力している入力端子３０（第３の入力端子３３）よりも優先度の高い入力端子が第１の入力端子３１および第２の入力端子３２であると認識する。また、主制御部４５は、ステップＳ１３において、最も優先度の高い入力端子３０である第１の入力端子３１を入力選択部４１に選択させ、上述したステップＳ１４〜Ｓ１６を実施する。ここで、主制御部４５は、ステップＳ１２において第３の入力端子３３よりも優先度の高い入力端子が第１の入力端子３１および第２の入力端子３２であると認識しているため、ステップＳ１６において、「Ｎ」、すなわち、第３の入力端子３３よりも優先度の高い全ての入力端子３０を入力選択部４１に選択させていないと判定する。そして、ステップＳ１６において、主制御部４５は、「Ｎ」と判定した場合には、入力選択部４１に所定の制御信号を出力し、次に優先度の高い入力端子３０（第２の入力端子３２）を入力選択部４１に選択させる（ステップＳ１９）。ステップＳ１９の後は、再度、ステップＳ１４に移行する。
以上のように、主制御部４５は、利用者により入力切換操作が実施された場合にも、上述したプロジェクタ１の起動時と同様に、ステップＳ１１〜Ｓ１９において、優先度の高い順に入力選択部４１に入力端子３０を選択させながら、入力状態検出部４２にて入力端子３０の入力状態を検出させている。
そして、ステップＳ１３，Ｓ１９が本発明に係る選択ステップに相当する。
【００６４】
さらに、例えば、第１の入力端子３１に外部機器（パーソナルコンピュータ等）が接続され、第１の入力端子３１を介して画像信号が供給された状態となり、この後、利用者により入力切換操作が実施された場合には、ステップＳ１５において、主制御部４５は、「Ｙ」、すなわち、第１の入力端子３１が入力状態であると判定することとなる。そして、ステップＳ１５において、主制御部４５は、「Ｙ」と判定した場合には、第１の入力端子３１を優先入力端子として認識し、優先入力端子（第１の入力端子３１）を介して画像信号を入力させる（ステップＳ２０：入力ステップ）。
そして、主制御部４５は、ステップＳ２０の後、ステップＳ８に移行し、ステップＳ８において、外部機器（ＤＶＤプレーヤ等）から出力され第２の入力端子３２を介して入力した画像信号に基づく映像表示から、外部機器（パーソナルコンピュータ等）から出力され優先入力端子（第１の入力端子３１）を介して入力した画像信号に基づく映像表示に切り換える。
【００６５】
上述した第１実施形態によれば、以下の効果がある。
本実施形態では、プロジェクタ１を構成する制御装置４０は、入力選択部４１、入力状態検出部４２、表示制御部４４、主制御部４５、およびメモリ４６を備えているので、優先度の高い順に入力端子３０を選択しながら入力端子３０の入力状態を検出して、優先度が高く、かつ、画像信号が入力されている入力状態である入力端子３０（優先入力端子）を選択し、優先入力端子を介して画像信号を入力させる処理を実行できる。このことにより、所望（高い優先度）の画像信号の入力に自動的に切り換えることができ、利用者に入力切換操作を複数回、実施させるような煩雑な作業を強いることがなく、利便性の向上が図れる。
【００６６】
また、主制御部４５は、利用者により入力切換操作が実施された場合に、選択制御（選択ステップＳ１３，Ｓ１９、入力ステップＳ１７，Ｓ２０）を実施する。このことにより、入力切換操作が実施された場合に、制御装置４０は、優先度が高く、かつ、画像信号が入力されている入力状態である優先入力端子を選択し、優先入力端子を介して画像信号を入力させる処理を実行するので、例えば、パーソナルコンピュータ等の外部機器から供給される画像信号を入力する第１の入力端子３１の優先度を高く設定しておけば、パーソナルコンピュータ等の外部機器から供給されている画像信号に応じた画像を表示してプレゼンテーションを実施している際、誤って入力切換操作を実施しても、再度、第１の入力端子３１を選択することとなり、プレゼンテーションに用いない他の外部機器から供給される画像信号に応じた画像を表示してしまうことを防止できる。
【００６７】
さらに、表示制御部４４は、表示制御を実施している際、利用者により入力切換操作が実施されることで主制御部４５にて選択制御（選択ステップＳ１３，Ｓ１９、入力ステップＳ１７）が実施され、再度、同一の入力端子３０が優先入力端子であると認識された場合に、画像信号の入力の切り換えを無効とする旨のメッセージＤ１を含む画像Ｄをスクリーン上に表示させる。このことにより、利用者は、入力切換操作を実施したにも拘らず、表示されている画像が切り換わらなくても、現在表示中の入力が最も優先度の高い入力であることを認識し、プロジェクタ１が故障したと認識することがない。
【００６８】
また、入力状態検出部４２は、表示制御部４４により所定の入力端子３０を介して入力された画像信号に基づいて表示制御が実施されている際、前記所定の入力端子３０を介して画像信号が入力されている入力状態であるか否かを常時、検出する。すなわち、前記所定の入力端子３０を介して画像信号が入力されなくなったことを、入力状態検出部４２にて検出できる。そして、主制御部４５は、入力状態検出部４２にて前記所定の入力端子３０が入力状態であると検出されなくなった場合に、再度、選択制御（選択ステップＳ６、入力ステップＳ７）を実施する。このことにより、前記所定の入力端子３０を介して画像信号が入力されなくなった場合であっても、前記所定の入力端子３０を除く入力端子３０のうち、優先度が高く、かつ、画像信号が入力されている入力状態である優先入力端子が選択され、優先入力端子を介して画像信号が入力されるため、前記画像信号に基づく画像がスクリーン上に表示されることとなる。したがって、スクリーン上に画像信号に基づく画像を常に表示させることが可能となり、例えば、複数の発表者によるプレゼンテーションの合間に、入力切換操作を実施させることなく、プレゼンテーションに用いない他の外部機器から供給される画像信号に基づく所定の画像を自動的にスクリーン上に表示させることができる。
【００６９】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図５は、第２実施形態における画像表示装置としてのプロジェクタ１´の構成を示すブロック図である。
前記第１実施形態では、入力状態検出部４２は、入力選択部４１にて選択された入力端子３０を介して画像信号が入力されている入力状態であるか否かを検出している。
これに対して第２実施形態では、入力状態検出部４２´は、各入力端子３１〜３４と直接、接続し、入力端子３１〜３４毎に画像信号が入力されている入力状態であるか否かを一括して検出する。本実施形態では、前記第１実施形態で説明したプロジェクタ１に対して、入力状態検出部４２´による入力状態の検出方法が異なるとともに、これに伴い、選択制御部としての主制御部４５´による選択制御が異なるのみであり、その他の構成は、前記第１実施形態と同様のものである。
【００７０】
入力状態検出部４２´は、主制御部４５からの制御信号に応じて、入力端子３１〜３４毎に入力状態であるか否かを一括して検出する。例えば、入力状態検出部４２´は、前記第１実施形態で説明した入力状態検出部４２と同様に、画像信号に含まれている同期信号の有無を確認することで、入力端子３１〜３４が入力状態であるか否かを検出する。そして、入力状態検出部４２´は、入力端子３１〜３４毎に、入力状態あるいは非入力状態に応じた信号を主制御部４５に出力する。
【００７１】
主制御部４５´は、入力状態検出部４２´にて入力状態であると検出された入力端子３０のうち、メモリ４６に記憶された優先度情報に基づく優先度の高い入力端子３０を優先入力端子として認識し、優先入力端子を入力選択部４１に選択させ優先入力端子を介して画像信号を入力させる選択制御を実施する。
【００７２】
次に、第２実施形態におけるプロジェクタ１´の動作について図面を参照して説明する。
なお、以下では、プロジェクタ１´の動作として、前記第１実施形態と同様に、プロジェクタ１´の起動時での選択動作、および入力切換操作時での選択動作を順に説明する。
また、以下では、説明の便宜上、優先度情報の設定、および、入力端子３０と外部機器との接続状態は、前記第１実施形態と同様のものとする。
【００７３】
〔起動時での選択動作〕
図６は、起動時でのプロジェクタ１´の動作を説明するフローチャートである。
利用者による操作部２０の入力操作によりプロジェクタ１´の電源がＯＮされ、プロジェクタ１´が起動すると、主制御部４５´は、メモリ４６に記憶された制御プログラムを読み出し、該制御プログラムにしたがって、以下の処理を実行する。
すなわち、主制御部４５´は、入力状態検出部４２´に所定の制御信号を出力する。そして、入力状態検出部４２´は、主制御部４５´からの制御信号に応じて、入力端子３１〜３４毎に入力状態であるか否かを一括して検出する（ステップＳ２１：入力状態検出ステップ）。
ステップＳ２１の後、主制御部４５´は、入力状態検出部４２´から出力される信号に応じて、入力端子３１〜３４毎に入力状態であるか否かを一括して判定し、全ての入力端子３１〜３４が非入力状態であるか否かを判定する（ステップＳ２２）。
【００７４】
本実施形態では、上述したような入力端子３０と外部機器との接続状態により、入力状態検出部４２´は、ステップＳ２１において、第１の入力端子３１が非入力状態であり、その他の入力端子３２〜３４が入力状態である旨を検出し、検出した各状態に応じた信号を主制御部４５に出力する。
そして、ステップＳ２２において、主制御部４５´は、「Ｎ」、すなわち、第１の入力端子３１のみが非入力状態であり、他の入力端子３２〜３４が入力状態であると判定する。
【００７５】
ステップＳ２２において、主制御部４５´は、「Ｎ」と判定した場合、前記第１実施形態で説明したステップＳ１と同様に、メモリ４６に記憶された優先度情報を読み出し、各入力端子３１〜３４の優先度を認識する。
ステップＳ１の後、主制御部４５は、入力状態検出部４２´にて入力状態であると検出された入力端子３０（入力端子３２〜３４）のうち、最も優先度の高い入力端子３０（本実施形態では、上述したような優先度情報の設定により、第２の入力端子３２）を優先入力端子として認識し、入力選択部４１に所定の制御信号を出力する。そして、入力選択部４１は、優先入力端子（第２の入力端子３２）を選択し、優先入力端子（第２の入力端子３２）を介して画像信号を入力させる（ステップＳ２３：選択入力ステップ）。
すなわち、ステップＳ１，Ｓ２３が本発明に係る選択入力ステップに相当する。
【００７６】
ステップＳ２３の後、主制御部４５´は、前記第１実施形態で説明したステップＳ８と同様に、信号変換部４３および表示制御部４４に所定の制御信号を出力して、外部機器（ＤＶＤプレーヤ等）から出力され優先入力端子（第２の入力端子３２）を介して入力した画像信号に基づく映像表示を実施させる。
【００７７】
ステップＳ８において、優先入力端子（第２の入力端子３２）を介した画像信号に基づく画像がスクリーン上に表示されプロジェクタ１´が駆動した後は、主制御部４５は、再度、ステップＳ２１に戻り、ステップＳ２１，Ｓ２２，Ｓ１，Ｓ２３を繰り返し実施する。
すなわち、主制御部４５´は、優先入力端子（第２の入力端子３２）を介して画像信号が供給されている間では、ステップＳ２３において第２の入力端子３２を優先入力端子として認識し、ステップＳ８において外部機器（ＤＶＤプレーヤ等）から出力され優先入力端子（第２の入力端子３２）を介して入力した画像信号に基づく映像表示を継続する。
【００７８】
一方、主制御部４５´は、優先入力端子（第２の入力端子３２）を介して画像信号が供給されなくなった場合（例えば、第２の入力端子３２に接続された外部機器が外された場合）には、ステップＳ２３において次に優先度の高い「３」に関連付けられた入力端子３０（本実施形態では、上述した優先度情報の設定により、第３の入力端子３３）を優先入力端子として認識し、ステップＳ８において、外部機器（ＤＶＤプレーヤ等）から出力され第２の入力端子３２を介して入力した画像信号に基づく映像表示から、外部機器（Ｓ信号ビデオテープレコーダ等）から出力され優先入力端子（第３の入力端子３３）を介して入力した画像信号に基づく映像表示に切り換える。
すなわち、主制御部４５´は、前記第１実施形態と同様に、表示制御部４４により所定の入力端子（第２の入力端子３２）を介して入力された画像信号に基づいて表示制御が実施されている際、入力状態検出部４２にて前記所定の入力端子（第２の入力端子３２）が入力状態であると検出されなくなった場合に、再度、選択制御（選択入力ステップＳ１，Ｓ２３）を実施する。
【００７９】
〔入力切換操作時での選択動作〕
図７は、入力切換操作時でのプロジェクタ１´の動作を説明するフローチャートである。
上述したステップＳ８において外部機器（ＤＶＤプレーヤ等）から出力され優先入力端子（第２の入力端子３２）を介して入力した画像信号に基づく映像表示が実施されている際、主制御部４５´は、前記第１実施形態で説明したステップＳ１０と同様に、入力切換部２１からの入力切換情報としての操作信号を入力したか否かを常時、監視する。
【００８０】
ステップＳ１０において、主制御部４５´は、「Ｙ」と判定した場合、すなわち、利用者により入力切換操作が実施された場合、入力状態検出部４２´に所定の制御信号を出力する。そして、入力状態検出部４２´は、主制御部４５´からの制御信号に応じて、入力端子３１〜３４毎に入力状態であるか否かを一括して検出する（ステップＳ２４：入力状態検出ステップ）。
ステップＳ２４の後、主制御部４５´は、入力状態検出部４２´から出力される信号に応じて、入力端子３１〜３４毎に入力状態であるか否かを一括して判定し、入力状態である入力端子３０のうち、ステップＳ８において表示している画像の画像信号を入力している入力端子３０（第２の入力端子３２）よりも優先度の高い入力端子３０が有るか否かを判定する（ステップＳ２５）。
【００８１】
本実施形態では、上述したような入力端子３０と外部機器との接続状態により、入力状態検出部４２´は、ステップＳ２４において、第１の入力端子３１が非入力状態であり、その他の入力端子３２〜３４が入力状態である旨を検出し、検出した各状態に応じた信号を主制御部４５に出力する。
そして、主制御部４５´は、第１の入力端子３１のみが非入力状態であり、他の入力端子３２〜３４が入力状態であると判定する。また、主制御部４５´は、ステップＳ２５において、「Ｎ」、すなわち、入力状態である入力端子３０（入力端子３２〜３４）のうち、ステップＳ８において表示している画像の画像信号を入力している入力端子３０（第２の入力端子３２）が最も優先度の高い入力端子３０であると判定し、第２の入力端子３２を優先入力端子として認識する。
【００８２】
ステップＳ２５において、主制御部４５´は、「Ｎ」と判定した場合には、前記第１実施形態で説明したステップＳ１８と同様に、表示制御部４４に所定の制御信号（所定のＯＳＤコマンド）を出力し、スクリーン上に画像Ｄを表示させる。
【００８３】
ここで、例えば、第１の入力端子３１に外部機器（パーソナルコンピュータ）が接続され、第１の入力端子３１を介して画像信号が供給された状態となり、この後、利用者により入力切換操作が実施された場合には、ステップＳ２５において、主制御部４５´は、「Ｙ」、すなわち、ステップＳ８において表示している画像の画像信号を入力している入力端子３０（第２の入力端子３２）よりも優先度の高い入力端子３０（第１の入力端子３１）があると判定することとなる。そして、ステップＳ２５において、主制御部４５´は、「Ｙ」と判定した場合には、第１の入力端子３１を優先入力端子として認識し、優先入力端子（第１の入力端子３１）を介して画像信号を入力させる（ステップＳ２６：選択入力ステップ）。
そして、主制御部４５´は、ステップＳ２６の後、ステップＳ８に移行し、ステップＳ８において、外部機器（ＤＶＤプレーヤ等）から出力され第２の入力端子３２を介して入力した画像信号に基づく映像表示から、外部機器（パーソナルコンピュータ等）から出力され優先入力端子（第１の入力端子３１）を介して入力した画像信号に基づく映像表示に切り換える。
【００８４】
上述した第２実施形態においては、前記第１実施形態と同様の効果の他、以下の効果がある。
本実施形態では、入力状態検出部４２´は、入力端子３１〜３４毎に入力状態であるか否かを一括して検出する。このことにより、主制御部４５´は、前記第１実施形態で説明した優先度の高い順に入力選択部４１に入力端子３０を選択させながら入力状態検出部４２にて入力端子３０の入力状態を検出させる制御を実施することなく、入力状態検出部４２´にて入力状態であると検出された入力端子３０のうち優先度情報に基づく優先度の高い入力端子３０を優先入力端子であると容易に認識できる。このため、主制御部４５´の処理負荷を軽減できる。
【００８５】
なお、本発明は前述の実施形態に限定されるものではなく、本発明の目的を達成できる範囲での変形、改良等は本発明に含まれるものである。
前記各実施形態では、複数の入力端子３０を４つの入力端子３１〜３４で構成していたが、入力端子３０の数は、４つに限らず、２つや３つでもよく、あるいは、５つ以上であっても構わない。また、複数の入力端子３０として、Dsub端子、Ｄ端子、Ｓ端子、１ＲＣＡ端子等を採用していたが、これに限らず、その他の端子、例えば、３ＲＣＡ端子や５ＲＣＡ端子、デジタル信号を入力するためのＤＶＩ端子、ＬＡＮ(Local Area Network)ケーブルと接続するための１００BASE-T/１０BASE-T端子、ＬＡＮカード等を着脱可能とするカードスロット、ストレージデバイスと接続するための各種端子（例えば、ＵＳＢ(Universal Serial Bus)に対応したハードディスクやＵＳＢメモリと接続するためのＵＳＢ端子等）等を採用しても構わない。
【００８６】
前記各実施形態において、図２、図３、図６、図７のフローは、適宜、順序を変更する等しても構わない。
前記各実施形態において、図４に示すメッセージＤ１は、前記各実施形態で説明したメッセージ（「現在表示中の入力が最も優先度の高い入力です。」）に限らず、画像信号の入力の切り換えを無効とする旨の警告情報であれば、その他の情報でも構わない。
【００８７】
前記各実施形態では、透過型の液晶パネル（液晶ライトバルブ１２）を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶ライトバルブ１２を３枚設けた構成としていたが、これに限らず、１枚のみの液晶ライトバルブ１２を設ける構成、２枚の液晶ライトバルブ１２を設ける構成、４枚以上の液晶ライトバルブ１２を設ける構成としてもよい。
【００８８】
前記各実施形態では、画像表示装置としてフロント投射型のプロジェクタを採用していたが、これに限らず、複数の入力端子３０を備えた画像表示装置であればよく、例えば、パーソナルコンピュータ、液晶テレビ、プラズマテレビ、有機ＥＬ(Electro Luminescence)ディスプレイ等の表示手段を備えたテレビ受信機、背面投射型のリアプロジェクタとしても構わない。
【００８９】
さらに、本発明を実施するための最良の構成等は、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部若しくは全部の限定を外した部材の名称での記載は、本発明に含まれるものである。
【産業上の利用可能性】
【００９０】
本発明は、利便性の向上が図れるため、プレゼンテーションやホームシアタに用いられるプロジェクタ等の画像表示装置に利用できる。
【図面の簡単な説明】
【００９１】
【図１】第１実施形態におけるプロジェクタの構成を示すブロック図。
【図２】前記実施形態における起動時でのプロジェクタの動作を説明するフローチャート。
【図３】前記実施形態における入力切換操作時でのプロジェクタの動作を説明するフローチャート。
【図４】前記実施形態における入力切換操作時でのプロジェクタの動作を説明するための図。
【図５】第２実施形態におけるプロジェクタの構成を示すブロック図。
【図６】前記実施形態における起動時でのプロジェクタの動作を説明するフローチャート。
【図７】前記実施形態における入力切換操作時でのプロジェクタの動作を説明するフローチャート。
【符号の説明】
【００９２】
１，１´・・・プロジェクタ（画像表示装置）、１０・・・画像投射部（表示手段）、２０・・・操作部（設定入力手段）、３０，３１〜３４・・・入力端子、４０・・・制御装置（制御手段）、４１・・・入力選択部、４２，４２´・・・入力状態検出部、４４・・・表示制御部、４５，４５´・・・主制御部、４６・・・メモリ（優先度情報記憶部）、Ｓ１，Ｓ２，Ｓ６，Ｓ１３，Ｓ１９・・・選択ステップ、Ｓ３，Ｓ１４，Ｓ２１，Ｓ２４・・・入力状態検出ステップ、Ｓ７，Ｓ１７，Ｓ２０・・・入力ステップ、Ｓ８・・・表示ステップ、Ｓ１，Ｓ２３，Ｓ２６・・・選択入力ステップ。
【図１】
2008139771.tif 000003
【図２】
2008139771.tif 000004
【図３】
2008139771.tif 000005
【図４】
2008139771.tif 000006
【図５】
2008139771.tif 000007
【図６】
2008139771.tif 000008
【図７】
2008139771.tif 000009